(57)【要約】【課題】複数の反射射出面の輝度を均一に調整して、見栄えの良い表示を行うことができる導光体を提供する。【解決手段】入射部２１Ｌ、２１Ｒには、光源４０からの光が入射される。入射部２１Ｌ、２１Ｒから入射された光は、複数の反射射出面２２ａ〜２２ｆ、２３ａ〜２３ｆで正面側に反射して射出される。これにより反射射出面２２ａ〜２２ｆ、２３ａ〜２３ｆが光輝して、所定の表示が行われる。この複数の反射射出面２２ａ〜２２ｆ、２３ａ〜２３ｆは、入射部２１Ｌ、２１Ｒから離れ、導かれる光が少ないものほど、正面に対する傾きを大きくする。つまり、光輝面積に対する反射射出面の面積を大きくして、より多くの光を反射、射出させるようにする。【選択図】図１
2006177864.tif 000002
【特許請求の範囲】
【請求項１】
光源からの光が入射される入射面と、該入射面から入射された光を正面側に反射して、射出することにより、前記正面側から視認したとき光輝する複数の反射射出面とを備え、当該反射射出面の光輝により所定の表示を行う導光体であって、
前記複数の反射射出面は、前記入射面から離れているものほど、当該反射射出面を前記正面側から視認したときの光輝面積に対する当該反射射出面の面積が大きいことを特徴とする導光体。
【請求項２】
光源からの光が入射される入射面と、該入射面から入射された光を正面側に反射して、射出することにより、前記正面側から視認したとき光輝する複数の反射射出面とを備え、当該反射射出面の光輝により所定の表示を行う導光体であって、
前記複数の反射射出面は、前記入射面から離れているものほど、正面に対する傾きが大きいことを特徴とする導光体。
【請求項３】
請求項１又は２記載の導光体であって、
前記反射射出面には拡散反射処理が施されていることを特徴とする導光体。
【請求項４】
請求項１〜３何れか１項記載の導光体であって、
前記複数の反射射出面は各々、単一平面で形成されていることを特徴とする導光体。
【発明の詳細な説明】
【技術分野】
【０００１】
本発明は、導光体に係り、特に、光源からの光が入射される入射面と、この入射面から入射された光を正面側に反射し、射出することにより、正面から視認したとき光輝する複数の反射射出面とを備え、その反射射出面の光輝により所定の表示を行う導光体に関するものである。
【背景技術】
【０００２】
上述した導光体の一例として、例えば、車両に搭載されたスピードメータに用いるものが提案されている。図４（ａ）は、従来のスピードメータに用いられる導光体１００の正面図であり、（ｂ）は（ａ）に示す導光体１００のＩ−Ｉ線部分断面図である。この導光体１００は、例えば、スピードメータの文字板正面側に設けられ、図中１０１〜１１０で示す凹部が光輝して、目盛表示を行う。
【０００３】
同図に示すように、導光体１００には、導光体１００内に光を入射する光源としての発光ダイオード２００が取り付けられている。また、導光体１００の裏側の外周側には、例えば、１０個の凹部１０１〜１１０がメータ目盛として放射状、かつ、ほぼ等間隔に形成されている。この凹部１０１〜１１０は各々、反射射出面である４つの斜面Ｍ１〜Ｍ４から構成されている。
【０００４】
発光ダイオード２００が点灯されると、発光ダイオード２００から導光体１００内に入射した光は、図４（ｂ）中の矢印にて示すように進み、斜面Ｍ１〜Ｍ４で反射して、正面側に向かって射出される。これにより、正面から見ると斜面Ｍ１〜Ｍ４、つまり、凹部１０１〜１１０が光輝して目盛として視認される。
【特許文献１】特開２００３−３０２２６２号公報
【発明の開示】
【発明が解決しようとする課題】
【０００５】
しかしながら、上述した従来の導光板１００に形成された目盛としての凹部１０１〜１１０は、発光ダイオード２００から距離が互いに異なる。このため、発光ダイオード２００からの距離が離れている凹部１０１〜１１０ほど、発光ダイオード２００から導かれる光量が少なくなり、例えば発光ダイオード２００から近い凹部１０１、１１０に比べて、発光ダイオード２００から離れた凹部１０５、１０６の方が、正面側に射出する光量が少なくなる。これにより、凹部１０１〜１１０の輝度が各々異なり、発光ダイオード２００から離れるに従って凹部１０１〜１１０の輝度が低くなるため、見栄えが悪いという問題があった。
【０００６】
また、上述した従来の導光板１００において、一つの凹部１０１〜１１０には各々４つの斜面Ｍ１〜Ｍ４（反射射出面）が形成されている。従って、各斜面Ｍ１〜Ｍ４に入射してくる光の光路が異なるため、光路距離も異なる。具体的には、図４（ｂ）中に示すように、斜面Ｍ１は光路Ｌ１を通って導かれた光を正面側に反射して射出し、斜面Ｍ２は光路Ｌ２を通って導かれた光を正面側に反射して射出している。このため、長い光路距離を経て光が入射される斜面Ｍ１〜Ｍ４ほど正面側に反射、射出する光量が少なくなり、各斜面Ｍ１〜Ｍ４毎に輝度が変わってしまい、目盛そのものの見栄えも悪いという問題があった。
【０００７】
そこで、本発明は、上記のような問題点に着目し、複数の反射射出面の輝度を均一に調整して、見栄えの良い表示を行うことができる導光体を提供することを課題とする。
【課題を解決するための手段】
【０００８】
上記課題を解決するためになされた請求項１記載の発明は、光源からの光が入射される入射面と、該入射面から入射された光を正面側に反射して、射出することにより、前記正面側から視認したとき光輝する複数の反射射出面とを備え、当該反射射出面の光輝により所定の表示を行う導光体であって、前記複数の反射射出面は、前記入射面から離れているものほど、当該反射射出面を前記正面側から視認したときの光輝面積に対する当該反射射出面の面積が大きいことを特徴とする導光体に存する。
【０００９】
請求項１記載の発明によれば、複数の反射射出面は、入射面から離れているものほど、その反射射出面を正面側から視認したときの光輝面積に対する反射射出面の面積が大きい。従って、光源から離れ、導かれる光量が減少してしまう反射射出面ほど、光輝面積に対する反射射出面面積を大きくして、より多くの光を正面側に導くことにより、光源から近い反射射出面に比べて、光源から遠い反射射出面の輝度が小さくなってしまうことを防ぎ、複数の反射射出面の輝度を均一に調整することができる。
【００１０】
請求項２記載の発明は、光源からの光が入射される入射面と、該入射面から入射された光を正面側に反射して、射出することにより、前記正面側から視認したとき光輝する複数の反射射出面とを備え、当該反射射出面の光輝により所定の表示を行う導光体であって、前記複数の反射射出面は、前記入射面から離れているものほど、正面に対する傾きが大きいことを特徴とする導光体に存する。
【００１１】
請求項２記載の発明によれば、複数の反射射出面は、入射面から離れているものほど、正面に対する傾きが大きい。従って、光源から離れ、入射される光の強さが弱い反射射出面ほど、正面に対する傾きを大きくして、より多くの光を正面側に導くことにより、光源から近い反射射出面に比べて、光源から遠い反射射出面の輝度が小さくなってしまうことを防ぎ、複数の反射射出面の輝度を均一に調整することができる。
【００１２】
請求項３記載の発明は、請求項１又は２記載の導光体であって、前記反射射出面には拡散反射処理が施されていることを特徴とする導光体に存する。
【００１３】
請求項３記載の発明によれば、反射射出面には拡散反射処理が施されている。従って、反射射出面で反射された光が拡散されるため、一つの反射射出面全体を均一に光らせることができる。
【００１４】
請求項４記載の発明は、請求項１〜３何れか１項記載の導光体であって、前記複数の反射射出面は各々、単一平面で形成されていることを特徴とする導光体に存する。
【００１５】
請求項４記載の発明によれば、複数の反射射出面は各々、単一平面で形成されている。従って、複数の反射射出面の各々を単一平面で形成することにより、一つの反射射出面に入射される全ての光が、同一方向から導光してきた光となり、同一の光路距離となるため、一つの反射射出面全体を均一に光らせることができる。
【発明の効果】
【００１６】
以上説明したように請求項１記載の発明によれば、光源から離れ、入射される光束が少なくなってしまう反射射出面ほど、光輝面積に対する反射射出面面積を大きくして、より多くの光を正面側に導くことにより、光源から近い反射射出面に比べて、光源から遠い反射射出面の輝度が小さくなってしまうことを防ぎ、複数の反射射出面の輝度を均一に調整することができるので、見栄えの良い表示を行うことができる導光体を得ることができる。
【００１７】
請求項２記載の発明によれば、光源から離れ、入射される光束が少ない反射射出面ほど、正面に対する傾きを大きくして、より多くの光を正面側に導くことにより、光源から近い反射射出面に比べて、光源から遠い反射射出面の輝度が小さくなってしまうことを防ぎ、複数の反射射出面の輝度を均一に調整することができるので、見栄えの良い表示を行うことができる導光体を得ることができる。
【００１８】
請求項３記載の発明によれば、反射射出面で反射された光が拡散されるため、一つの反射射出面全体を均一に光らせることができるので、より一層、見栄えの良い表示を行うことができる導光体を得ることができる。
【００１９】
請求項４記載の発明によれば、複数の反射射出面の各々を単一平面で形成することにより、一つの反射射出面に入射される全ての光が、同一方向から導光してきた光となり、同一の光路距離となるため、一つの反射射出面全体を均一に光らせることができるので、より一層、見栄えの良い表示を行うことができる導光体を得ることができる。
【発明を実施するための最良の形態】
【００２０】
以下、本発明の導光体を図面を参照して以下説明する。図１は、本発明の導光体を組み込んだスピードメータの一実施形態を示す部分斜示図である。図２（ａ）は図１に示す導光体２０のＡ−Ａ線断面図であり、（ｂ）はＢ−Ｂ線断面図である。スピードメータは、運転者から視認可能な位置に配置され、自動車の走行速度を表示する。
【００２１】
このスピードメータは文字板１０を備えている。文字板１０は、例えばアクリル樹脂板といった光透過材からなり、その正面には、指針３０先端の回動軌跡に沿って、内側から順に、数字部１１、目盛部（図示せず）が形成されている。具体的には、数字部１１及び目盛部以外の背景部分に、例えば黒色印刷やホットスタンプが施されて、不透明状態としている。これにより、文字板１０背面側から光が入射されると、数字部１１、目盛部のみを光が透過して、数字部１１、目盛部が光輝するようになっている。
【００２２】
また、上述した文字板１０の正面側には、その周縁に沿って正面視略円弧状に形成された導光体２０が設けられている。この導光体２０は、例えばアクリル樹脂板といった光透過材から形成され、その両端部には背面側に向かって突起する入射部２１Ｌ、２１Ｒが形成されており、この入射部２１Ｌ、２１Ｒ背面から光源４０の光が入射される。このことから明らかなように、入射部２１Ｌ、２１Ｒ背面が請求項中の入射面に相当する。
【００２３】
また、導光体２０には、図２に示すように、その裏面に、断面略直角三角形の凹部を指針３０の回動方向に沿って複数形成することにより、正面と所定角度を成す、長方形形状の複数の反射射出面２２ａ〜２２ｆ、２３ａ〜２３ｆが形成されている。この長方形形状の反射射出面２２ａ〜２２ｆ、２３ａ〜２３ｆは、その長手方向が導光体２０の径方向と平行になるように、放射状かつほぼ等角度に形成され、正面側から視認したとき、文字板１０に形成された目盛部と重なるようになっている。
【００２４】
従って、図１中Ｘより左側に形成された反射射出面２２ａ〜２２ｆは、入射部２１Ｌから入射され、導光体２０内を指針３０の回動方向時計回りに向かって導光される光ＬＬを、正面側に反射、射出して、光輝する（図２（ａ）参照）。一方、図１中Ｘより右側に形成された反射射出面２３ａ〜２３ｆは、入射部２１Ｒから入射され、導光体２０内を指針３０の回動方向反時計回りに向かって導光される光ＬＲを正面側に反射、射出して、光輝する（図２（ｂ）参照）。
【００２５】
ところで、反射射出面２２ａ〜２２ｆ、２３ａ〜２３ｆは、図中Ｘに近づくほど、入射部２１Ｌ、２１Ｒから離れてしまう。つまり、反射射出面２２ａ、２３ａが入射部２１Ｌ、２１Ｒに最も近く、反射射出面２２ｆ、２３ｆが入射部２１Ｌ、２１Ｒから最も遠い。導光体２０内では、入射部２１Ｌ、２１Ｒから遠ざかり、図中Ｘに近づくほど、光源４０から導かれる光量が減少してしまい、これに起因して、入射部２１Ｌ、２１Ｒから遠い反射射出面ほど、正面側に射出する光量が少なく、輝度が低くなってしまう。
【００２６】
そこで、本実施形態では、上述した複数の反射射出面２２ａ〜２２ｆ、２３ａ〜２３ｆは、図２（ａ）及び（ｂ）に示すように、入射部２１Ｌ、２１Ｒから離れるほど、凹部を深くして、正面に対する傾きθａ〜θｆが大きくなるように形成している（θａ＞θｂ…＞θｅ＞θｆ）。これにより、導光体２０の入射部２１Ｌ、２１Ｒから離れるほど、正面から視認される反射射出面２２ａ〜２２ｆ、２３ａ〜２３ｆの光輝面積に対する反射射出面２２ａ〜２２ｆ、２３ａ〜２３ｆの面積の割合が大きくなる。
【００２７】
つまり、本実施形態では、反射射出面２２ａ〜２２ｆ、２３ａ〜２３ｆの長手方向は傾いていないので、入射部２１Ｌ、２１Ｒから離れるほど、正面から視認した反射射出面２２ａ〜２２ｆ、２３ａ〜２３ｆの光輝幅Ｗに対する反射射出面２２ａ〜２２ｆ、２３ａ〜２３ｆの幅の割合が大きくなる。なお、複数の反射射出面２２ａ〜２２ｆ、２３ａ〜２３ｆを正面から視認したときの光輝面積を全て同じにしており、当然、正面から視認したときの光輝幅Ｗも同じである。
【００２８】
これにより、図３に示すように、図面左側の傾きの大きい反射射出面２２ｆは、図面右側の傾きの小さい反射射出面２２ａに比べ、反射幅（Ｗｆ＞Ｗａ）が大きくなる。従って、反射射出面２２ｆは、付近まで導光される光量が少なくても、そのうちのより多くが入射され、正面側に反射、射出する。一方、反射射出面２２ａは、付近まで導光される光量は多くても、そのうちの少量のみを正面側に反射、射出する。結果、反射射出面２２ａ及び２２ｆは同量の光を正面に反射、射出するため、同一輝度となる。
【００２９】
つまり、光源４０から近い反射射出面２２ａに比べて、光源４０から遠い反射射出面２２ｆの輝度が小さくなってしまうことを防ぐことができる。複数の反射射出面２２ａ〜２２ｆ、２３ａ〜２３ｆについても、同様のことが言え、複数の反射射出面２２ａ〜２２ｆ、２３ａ〜２３ｆの輝度を互いに均一に調整することができ、見栄えの良い表示を行うことができる。
【００３０】
また、複数の反射射出面２２ａ〜２２ｆ、２３ａ〜２３ｆは各々単一平面で形成されている。このため、一つの反射射出面２２ａ〜２２ｆ、２３ａ〜２３ｆに入射される全ての光が、同一方向から導光してきた光となり、同一の光路距離となる。詳しくは、反射射出面２２ａ〜２２ｆには、入射部２１Ｌから入射され、導光体２０内を指針３０の回動方向時計回りに向かって導光される光ＬＬのみが入射され、反射射出面２３ａ〜２３ｆには、入射部２１Ｒから入射され、導光体２０内を指針の回動方向反時計回りに向かって導光される光ＬＲのみが入射される。これにより、一つの反射射出面全体を均一に光らせることができる。
【００３１】
また、一つの反射射出面２２ａ〜２２ｆ、２３ａ〜２３ｆ全体を均一に光らせるために、反射射出面２２ａ〜２３ｆ、２３ａ〜２３ｆに、シボなどの拡散反射処理を施すことも考えられる。
【００３２】
なお、上述した実施形態では、反射射出面２２ａ〜２２ｆ、２３ａ〜２３ｆを単一平面で形成していた。しかしながら、本発明は、単一平面に限らず、複数の反射射出面を、入射面から遠ざかるほど、正面に対する傾きが大きくなるようにすれば、従来のように複数平面から形成することも考えられる。但し、この場合、複数平面の各々に入射される光量が等しく成るように、複数の光源を配置する必要がある。
【００３３】
また、上述した実施形態では、反射射出面２２ａ〜２２ｆ、２３ａ〜２３ｆを光輝させて、目盛表示を行っていた。しかしながら、表示する内容は目盛に限らず、例えば、文字や、数字又は絵などであってもよい。
【図面の簡単な説明】
【００３４】
【図１】本発明の導光体を組み込んだスピードメータの一実施形態を示す部分斜示図である。
【図２】（ａ）は図１に示す導光体２０のＡ−Ａ線断面図であり、（ｂ）は図１に示す導光体２０のＢ−Ｂ線断面図である。
【図３】反射射出面２２ａ及び２２ｆで、正面に反射、射出される光について説明するための図である。
【図４】（ａ）は、従来のスピードメータに用いられる導光体１００の正面図であり、（ｂ）は（ａ）に示す導光体２００のＩ−Ｉ線部分断面図である。
【符号の説明】
【００３５】
２０            導光体
２１Ｌ          入射部
２１Ｒ          入射部
２２ａ〜２２ｆ  反射射出面
２３ａ〜２３ｆ  反射射出面
ＬＬ            光
ＬＲ            光
θａ〜θｆ      傾き
【図１】
2006177864.tif 000003
【図２】
2006177864.tif 000004
【図３】
2006177864.tif 000005
【図４】
2006177864.tif 000006